(57)【要約】【課題】吸水層及び保水層を積層して形成した吸収パッドを有する布オムツにおいて、吸収パッドの表面側に経方向或いは横方向に折曲げ用溝部を設け、布オムツを経或は横方向に折り曲げ自在としたことにより、前身側股部の局部の形状に応じて被覆、巻き付けを極めて容易にした布オムツに関する。【解決手段】吸水層及び保水層を積層して形成した吸収パッドを有する布オムツにおいて、吸収パッドの表面側に経或いは横方向に折曲げ用溝部を設け、同溝部を介して布オムツを経或は横方向に折り曲げ自在としたことにより、前身側股部の局部の形状に応じて自由に被覆、巻き付けが、可能になって尿の流出或いは横漏れなどの現象がなくなり、しかも折り曲げ性や弾力性に優れた布オムツが得られるのである。【選択図】図６
2007089722.tif 000002
【特許請求の範囲】
【請求項１】
吸水層、保水層を積層した吸収パッドからなる布オムツにおいて、該吸収パッドに溝状の凹部構造、又は縫目によって該吸収パッドが圧縮された凹部構造からなる折り曲げ部を設けたことを特徴とする布オムツ。
【請求項２】
上記折り曲げ部は、吸収パッドの長手方向全長に亘って設けられ、又はパッド中央部から着用時の前面側に亘って少なくとも1本設けられたことを特徴とする請求項１に記載の布オムツ。      
【請求項３】
上記折り曲げ部は、吸収パッドの長手方向に対して直角方向に沿って、少なくとも1本設けられたことを特徴とする請求項１及び請求項２の少なくとも一つに該当する布オムツ。
【発明の詳細な説明】
【技術分野】
【０００１】
本発明は、吸水層及び保水層を積層して形成した吸収パッドを有する布オムツにおいて、吸収パッドの表面側に経方向或いは横方向に折曲げ線を設け、布オムツを経或は横方向に折り曲げ自在としたことにより、前身側股部の局部の形状に応じて被覆、巻き付けを極めて容易にした布オムツに関する。
【背景技術】
【０００２】
従来、吸水層及び保水層を積層して形成した吸収パッドを有する布オムツにおいて、同吸収パッドが分厚く構成されているために、布オムツを容易に折り曲げたりすることが困難であった。従って前身側股部の局部の形状に沿って吸収パッドをフィットさせることが困難であり、特に男性の場合、陰茎部に吸収パッドを被覆して着用することが困難で、尿漏れを生ずる恐れがあった。
【０００３】
【特許文献１】特開２００５−１３７６１７号公報
【発明の開示】
【発明が解決しようとする課題】
【０００４】
解決しようとする問題点は、吸収パッドが分厚く形成されているために、前身側股部の局部の形状に応じて吸収パッドを容易に折り曲げたり、被覆したりすることが困難なために、尿が流出して尿漏れを生じる恐れがあり、吸収パッドの折り曲げ性や被覆性が十分に改善されていない点にある。
【課題を解決するための手段】
【０００５】
本発明は、吸水層及び保水層を積層して形成した吸収パッドを有する布オムツにおいて、吸収パッドの表面側に経方向或は横方向に折り曲げ部を設け、同布オムツを経或は横方向に折り曲げ自在に構成したことを最も主要な特徴とする。
【発明の効果】
【０００６】
本発明は、吸水層及び保水層を積層して形成した吸収パッドを有する布オムツにおいて、吸収パッドの表面側に経方向或は横方向に折り曲げ部を設け、同布オムツを経或は横方向に折り曲げ自在としたことにより、前身側股部の局部の形状に応じて自由に被覆、巻き付けが可能となり、特に男性の場合、陰茎部に吸収パッドを、即ち布オムツを容易に被覆することができ、従って尿漏れや横漏れするなどの現象がなくなって、尿の吸水や保水が確実に行われ、しかも折り曲げ性や弾力性などに優れた布オムツが得られるのである。    
【発明を実施するための最良の形態】
【０００７】
本発明は、吸水層及び保水層を積層して形成した吸収パッドを有する布オムツにおいて、吸収パッドの表面側に経方向或は横方向に折り曲げ線を設け、同布オムツを経或は横方向に折り曲げ自在に構成したことを特徴とするもので、以下図例に基づいて説明する。１は布オムツで、浸透層３と防水層５を積層し、且つ両層３、５を重合した状態で周囲を一周する防水性（撥水性）テープ生地６で重合、縫着７すると共に、同テープ生地６を縫着７する際、周知の手段で浸透層３と防水層５間に吸水層１０及び保水層１２を積層した状態で適宜に挿入し、配置したものである。
【０００８】
尚、浸透層３の糸使いとしては、例えばポリエステル系繊維を用いて生地厚さが１〜３ｍｍの経編地を編成し、且つ肌側に接する面を起毛加工４して肌触りを良好にし、しかも起毛加工生地に親水性加工を施して尿の浸透、吸水を向上するようにしてある。また防水層５の生地使いとしては、ポリエステル系繊維を用いて生地厚さが１〜３ｍｍの織物地３３を織成し、且つ同繊維１００％からなる織物地３３にポリカーボネート系結合ウレタンフィルム３４をラミネートしたもので、防水層５の生地としては、合成繊維主体の経編、丸編もしくは織物生地に防水性素材であるフィルムにより、ラミネート加工もしくはコーティング加工して尿や水分の漏れを防止するものである
【０００９】
また吸水層１０及び保水層１２の両脇中央部側縁には、夫々周知の円弧状切欠部１５、１５を設けてあり、且つ両層１０、１２を重合した状態で周囲を一周する周知の防水性（撥水性）テープ生地１８で一体的に重合、縫着２０してある。また重合状態の吸水層１０及び保水層１２における円弧状切欠部１５、１５の内側部を前記浸透層３と重合した状態で、重合縫着２１してある。
【００１０】
また吸水層１０及び保水層１２は、夫々合成繊維による捲縮性糸（嵩高性伸縮性糸）使いによるダブルラッセル編地で形成したもので、夫々の表面層２２、２２と裏面層２３、２３間に多数の繋ぎ糸３０を連結、編成することにより、立体的な三次元構造による間隙保持層３２が形成され、しかも繋ぎ糸３０を捲縮性糸（伸縮性嵩高糸）で形成することによってクリンプ性に富んだ繋ぎ糸３０の集合体により、間隙保持層３２内に空気層が多数存在し、毛細管現象の発現が、より活発になって水分の吸収が良くなり、且つ保水効果が発揮され、しかも水分の逆流が防止されるようにしてある。
【００１１】
上記のように多数の繋ぎ糸３０間には、水分が十分に吸収、保持され、更に多数の繋ぎ糸３０が捲縮性糸（伸縮性嵩高糸）で形成されているために間隙保持層３２全体がクリンプ性或いは嵩高性に極めて優れており、従って耐圧縮性がより向上し、身体の動きによる如何なる体圧が負荷されてもクッション性に富んだ多数の繋ぎ糸３０の弾力性により、間隙保持層３２自体の変形が防止され、尿パッドの形態安定性が十分に保持されるようになっている。更に防水層５はポリエステル製生地３３に防水性フィルム３４を接着して得られたラミネート生地で形成し、前記吸水層１０及び保水層１２で保水された尿が、外部へ漏れ出すのを防止できるようにしてある。
【００１２】
更に前記吸水層１０及び保水層１２の両脇中央部に夫々設けた円弧状切欠部１５、１５に対応した位置において、積層、重合した浸透層３及び防水層５の両側縁中央部にダーツを有する立壁部、即ち尿漏れ防止用ガード部３５、３５が形成されるようにしてある。上記尿漏れ防止用ガード部３５、３５を形成する手段として、具体的には図６及び図７の如く、吸水層１０及び保水層１２の両脇中央部に夫々設けた円弧状切欠部１５、１５の位置に対応して、浸透層３及び防水層５の脇部側縁中央部に伸縮性ゴム紐３６挿通用の袋状重合縫着部３８（２本の縫合線）を設け、同縫着部３８内に伸縮性ゴム紐３６を伸張して縫着することにより、立壁部、即ち尿漏れ防止用ガード部３５、３５が形成されるようにしたものである。
【００１３】
尚、ゴム紐３６挿通用の袋状重合縫着部３８を形成する手段としては、浸透層３及び防水層５の重合状側縁端部中央部において、同側縁端部中央部の部位４０の位置から内側方向に向かって内側の部位４１の位置まで変位させて重合縫着３８（２本の縫合線）し、更に同位置４１から側縁中央部の部位４２の位置まで重合縫着３８し、このようにして袋状縫着の部位４０、４１、４２が、凹状に形成され、浸透層３及び防水層５の積層、重合による伸縮性ゴム紐３７挿入用の袋状重合縫着部３８（２本の縫合線）が形成されるのである。
【００１４】
更に上記袋状重合縫着部３８内に所要長さの伸縮性ゴム紐３６を挿通するにあたり、浸透層３及び防水層５の重合状側縁中央部の側縁端部に位置する前記袋状縫着の部位４０の位置で、先ずゴム紐３６の始端部を縫着４５しておき、次いで同重合状側縁中央部の側縁から内側方向に向かって縫着３内方袋状縫着の部位４１及び４２の位置まで伸縮性ゴム紐３６を袋状重合縫着部３８内に順次、挿通しておき、次いで袋状縫着の部位４２の位置において、伸縮性ゴム紐３６を適宜に伸長した状態で、伸縮性ゴム紐３６の終端部を縫着４６しておくのである。
【００１５】
尚、上記のように伸縮性ゴム紐３６を袋状重合縫着部３８内に挿通し、伸張して縫着した後、積層、重合した浸透層３及び防水層５の周囲を一周する防水性（撥水性）テープ生地６で重合、縫着７する際、浸透層３及び防水層５の両側縁中央部における部位４０から部位４１、更に部位４２に至るに部位において、同側縁端部の部位を伸長した状態で、防水性（撥水性）テープ生地６を重合、縫着７することにより、浸透層３及び防水層５の両側縁中央部にダーツを有する立壁部、即ち尿漏れ防止用ガード部３５、３５が形成されるのである。
【００１６】
また伸縮性ゴム紐３６を袋状重合縫着部３８内で挿通し、伸長して縫着する際、伸縮性ゴム紐３６による股部内側への接圧、喰い込みを防止するために、伸縮性ゴム紐３６を浸透層３及び防水層５の側縁中央部の位置から、内側方向に向かって変位させ、ゆとりを設ける距離、即ち側縁中央部の側縁端部と伸縮性ゴム紐３６が位置する前記袋状縫着の部位４１間のゆとり距離Ｌとしては、５〜１２ｍｍの範囲が好ましい。尚、前記ゆとり距離Ｌが５ｍｍ以下の場合は、ゴム紐３６による股部内側への接圧、喰い込みが強くなって股部に痛みや痒みを生じる恐れがあり、更に前記変位距離Ｌが１２ｍｍ以上の場合は、側縁中央部の側縁端部と伸縮性ゴム紐３６間の距離が、大きくなり過ぎて立壁部、即ち尿漏れ防止用ガード部３５、３５の起立が不十分となり、尿漏れなどを生じる恐れがあり、好ましくないのである。
【００１７】
また前記積層、重合された吸水層１０及び保水層１２の構成について、同吸水層１０の場合は、縦及び横方向に折曲げ線を形成するために、多数の分割型の生地片で構成するようにしてあり、一方、保水層１０の場合は、１枚の生地で構成するようにしてある。尚、縦及び横方向に折曲げ線を有する吸水層１０の例を挙げると、吸水層１０の第１実施例として、図４、及び図５の如く、吸水層１０を４枚の生地片５２、５３、５４、５５に分割、裁断して、溝部５０、５１を有する吸水層１０を形成するようにしたもので、吸水層１０の前身頃５７側では、生地片５２、５３で形成され、後身頃５８側では、生地片５４、５５で形成されるようにしてある。また図４、図５、図６の如く、生地片５２を保水層１２上に積層して周辺部を保水層１２と共に、一体的に縫着、固定５６し、同様に他の生地片５２、５３、５４についても保水層１２と共に、一体的に周辺部を縫着、固定５６し、このようにして折曲げ線５０、５１を有する吸水層１０が形成されるのである。
【００１８】
また縦及び横方向に折曲げ線６６、６７を有する吸水層１０の第２実施例として、図７の如く、吸水層１０の前身頃５７側では、生地片６１、６２、６３で形成され、後身頃５８側では生地片６４で形成され、前記同様に各生地片６１、６２、６３、６４を保水層１２上に夫々積層して周辺部を保水層１２と共に、一体的に縫着、固定５６することにより、縦、横方向に折曲げ線６６、６７を有する吸水層１０が形成されるのである。
【００１９】
更に縦及び横方向に折曲げ線７６、７７を有する吸水層１０の第３実施例として、図８の如く、吸水層１０の前身頃５７側では、生地片７１、７２、７３、７４で形成され、後身頃５８側では生地片７５で形成され、前記同様に各生地片７１、７２、７３、７４、７５を保水層１２上に夫々積層して周辺部を保水層１２と共に、一体的に縫着、固定５６することにより、縦、横方向に折曲げ線７６、７７を有する吸水層１０が形成されるのである。
【００２０】
また上記の如く、縦、横方向に折曲げ線（溝状の凹部或いは溝部）を形成するための手段として、例えば吸水層１０の縦及び横方向に適宜の縫着を施し、縫着により、生地の表面に溝状の縫着溝が形成され、吸水層１０に溝状の凹部或いは溝部による折曲げ線を形成するようにしてもよい。上記のように吸水層１０に縦、横方向に折曲げ線（溝状の凹部或いは溝部）用溝部を設けたことにより、吸収パッドを有する布オムツを経或は横方向に折り曲げ自在にでき、また前身側股部の局部の形状に応じて被覆、巻き付けが可能で、特に男性の場合、陰茎部に吸収パッドを容易に被覆することができ、従って尿の流出や横漏れなどの欠点を防止でき、折り曲げ性や弾力性などに優れた布オムツが得られるのである。
【産業上の利用可能性】
【００２１】
吸水層１０を構成する複数枚の生地片を保水層１２上に夫々積層して周辺部を保水層１２と共に、一体的に縫着、固定５６する場合、縫着、固定５６する代わりに、複数枚の生地片を保水層１２上に夫々接着剤などを介して積層し、固定するようにしてもよい。
【図面の簡単な説明】
【００２２】
【図１】布オムツの概略平面図である。
【図２】図１のＡ−Ａ断面による概略断面図である。
【図３】図１のＢ−Ｂ断面による概略断面図である。
【図４】第１実施例による吸水層の概略平面図である。
【図５】第１実施例による吸水層における生地片の積層、縫着時の作動説明用概略斜視図である。
【図６】図４のＣ−Ｃ断面による概略断面図である。
【図７】第２実施例による吸水層の概略平面図である。
【図８】第３実施例による概略平面図である。
【図９】尿漏れ防止用ガード部の拡大平面図である。
【図１０】尿漏れ防止用ガード部の簡略説明用斜視図である。
【符号の説明】
【００２３】
３    浸透層  
５    防水層
１０  吸水層
１２  保水層
３５  尿漏れ防止用ガード部
３６  伸縮性ゴム紐
【図１】
2007089722.tif 000003
【図２】
2007089722.tif 000004
【図３】
2007089722.tif 000005
【図４】
2007089722.tif 000006
【図５】
2007089722.tif 000007
【図６】
2007089722.tif 000008
【図７】
2007089722.tif 000009
【図８】
2007089722.tif 000010
【図９】
2007089722.tif 000011
【図１０】
2007089722.tif 000012